Podtech/llm-jp-corpus-v4-ja_patent huggingface dataset:
(57)【要約】【課題】本体軸部に沿って指を滑らせるだけで本体軸部に回転を付与し、ゲーム感覚の遊びを楽しむことを可能にした筆記具を提供する。【解決手段】本体軸部１の外周に、本体軸部１に手の指を当てて滑らせることにより本体軸部１に回転を付与するらせん状リブ３を形成する。本体軸部１の一端又は両端にボールペン、シャープペン、フェルトペン又は筆ペンのいずれかのペン先２が設けられている。らせん状リブ３のピッチは手指が入る程度の間隔にしている。【選択図】図１
2020196247.tif 000002
【特許請求の範囲】
【請求項１】
本体軸部の外周に、該本体軸部に手の指を当てて滑らせることにより該本体軸部に回動を生じさせるらせん状リブを形成したことを特徴とする筆記具。
【請求項２】
前記本体軸部の一端又は両端にボールペン、シャープペン、フェルトペン又は筆ペン等のいずれかのペン先が設けられていることを特徴とする請求項１記載の筆記具。
【請求項３】
前記本体軸部の一端に前記ペン先を前記本体軸部内に出し入れする操作部が設けられたことを特徴とする請求項１又は２記載の筆記具。
【発明の詳細な説明】
【技術分野】
【０００１】  本発明は、本体軸部を回転させて遊ぶことができるゲーム機能を備えた筆記具に関するものである。
【背景技術】
【０００２】  従来、ボールペン、シャープペン等の筆記具は、本体軸部の先端にボールペン先又はシャープペン先等を備えており、本体軸部を持って筆記を行うようになっている。
【発明の概要】
【発明が解決しようとする課題】
【０００３】  一般に、喫茶店、飲食店、あるいはオフィスなどにおいて、待ち合わせや休憩を行う場合、手持ち無沙汰になることがよくある。このような場合、常に所持している筆記具で簡単な遊びを楽しむことができれば便利であるが、従来の筆記具は筆記のみの機能を備えているにすぎず、ほかの遊びを楽しむことはできない。【０００４】  本発明は、このような課題を解決するためになされたもので、本体軸部に沿って指を滑らせるだけで本体軸部に回転を付与し、ゲーム感覚を楽しむことを可能にした筆記具を提供することを目的とする。
【課題を解決するための手段】
【０００５】  上記課題を解決するため、本発明の筆記具は、本体軸部の外周に、該本体軸部に手の指を当てて滑らせることにより該本体軸部に回転を付与するらせん状リブを形成したものである。【０００６】  前記本体軸部の一端又は両端にボールペン、シャープペン、フェルトペン又は筆ペンのいずれかのペン先に設けること。【０００７】  前記本体軸部の一端に前記ペン先を前記本体軸部内に出し入れするノックボタンを設けることが好ましい。
【発明の効果】
【０００８】  本発明によれば、本体軸部に沿って指を滑らせるだけで本体軸部に正逆両方向の回転を生じさせテーブル上でゲーム感覚の遊びを楽しみ、あきることなく時間を過ごすことが可能となる。
【図面の簡単な説明】
【０００９】
【図１】（ａ）は本発明の一実施形態に係る筆記具の側面図、図２はこの実施形態の側面図である。
【発明を実施するための形態】
【００１０】  以下、図面を参照して、本発明に係る筆記具の実施形態を説明する。
図１（ａ）は、本発明の一実施形態に係る筆記具の側面図、図１（ｂ）は、他の実施形態の側面図である。
【００１１】  図１（ａ）において、この筆記具は、本体軸部１の上下端にペン部２を備えている。この実施形態では、上端にボールペン部２ａを、下端にシャープペン部２ｂを備えた例であるが、ペン部２は、両端に同種のものでもよいし、また、ボールペン部、シャープペン部のほか、フェルトペン部その他どのような構成のペン部でもよい。
【００１２】  この本体軸部１の外周にらせん状リブ３が形成されている。このらせん状リブ３のピッチは１本の手指が入る程度の間隔で形成されている。
図１（ａ）に示すように、ペン部２をテーブル上の紙６あるいはノート等に当接させた状態で、親指４ａと人差し指４ｂを本体軸部１の両側に当てて下方に滑らせることにより、らせん状リブ３に両指４ａ、４ｂが当たって本体軸部１に回転が付与され、筆記具はペン部２を支点として回転させられる。このように、筆記具を用いてゲーム感覚で遊ぶことにより、あきることなく時間を過ごすことができる。
【００１３】  図１（ｂ）は、筆記具の他の実施形態であって、上端にペン部２を出し入れできるノックボタン５を備えた通常のシャープペン又はボールペンを示しており、この実施形態の筆記具の本体軸部１にらせん状リブを設けている。
【００１４】  以上説明したように、本発明の実施の形態による筆記具は、本体軸部１を指で挟んで滑らせるだけで回転させることができ、従来のように単に筆記だけでなく、遊びの機能を有するので、例えば、喫茶店で待ち合わせのとき、あるいはオフィスでの休憩時等、時を忘れて楽しむことができる。さらに、筆記具は常時携帯するものであるから、邪魔にならず、手持ち無沙汰のときに時間を忘れて楽しむことができる。
【符号の説明】
【００１５】１  本体軸部
２  ペン部
３  らせん状リブ
５  ノックボタン
【図１】
2020196247.tif 000003
(57)【要約】      （修正有）【課題】空を飛ぶために空飛ぶ車を提供する。【解決手段】動力を４つのジェットエンジンとする車とすることにより、道路を走るだけでなく、空を飛ぶことが出来ようにする。【選択図】図１
2020097418.tif 000002
【特許請求の範囲】
【請求項１】
動力を４つのジェットエンジンにした空飛ぶ車
【発明の詳細な説明】
【技術分野】
【０００１】この発明は、空飛ぶ車に関するものである
【背景技術】
【０００２】従来、車は道路を走っていた
【先行技術文献】
【０００３】
【特許文献１】
【非特許文献１】
【発明の概要】
【発明が解決しようとする課題】
【０００４】これは次のような欠点があった
（イ）車は道路を走ることしか出来なかった
本発明は、以上のような欠点をなくすためになされたものである
【課題を解決するための手段】
【０００５】車の動力を４つのジェットエンジンにしなければならない
本発明は、以上の構成よりなる空飛ぶ車である
【発明の効果】
【０００６】（イ）空を飛ぶことが出来る
【図面の簡単な説明】
【０００７】
【図１】  本発明の見取り図である
【発明を実施するための形態】
【０００８】以下、本発明を実施するための最良の形態について説明する
（１）車の動力を４つの（２）ジェットエンジンにする
本発明は以上のような構造である
【符号の説明】
【０００９】１  車
２  ジェットエンジン
【図１】
2020097418.tif 000003
(57)【要約】      （修正有）【課題】手動式灯油ポンプには、オイルの流れを停止するために、ねじ式の停止部品しか付いていなかったため、迅速な停止ができず、給油口からオイルをあふれさせてしまいがちであった。瞬時にオイルの流れを停止させる手動式灯油ポンプを提供する。【解決手段】手動式灯油ポンプのオイル出口である給油ホース３の出口付近に、手動でオイルを瞬時に停止するためのコック１を設け、給油口がいっぱいになって来たら素早くコックをつまみ、給油を停止することを特徴とする。【選択図】図１
2020097919.tif 000002
【特許請求の範囲】
【請求項１】
手動式灯油ポンプのオイル出口付近に手動で作動する流量停止部品（コック）を取り付けた手動式灯油ポンプ。流量停止部品（コック）内側の細い突起状の部分とホースは接触し接着されている。接触している部分が細い突起状であるため、比較的、弱い力でホースを塞ぐ（押しつぶす）事が出来、年配の方や握力の弱い方でも容易にオイルの流れを瞬時に停止させることができる。
【発明の詳細な説明】
【技術分野】
【０００１】  この発明は、手動式灯油ポンプに手動の流量停止部品（コック）を取り付けた手動式灯油ポンプに関するものである。
【背景技術】
【０００２】  従来、手動式灯油ポンプには瞬時にオイルを停止する部品が付いていなかった。ねじ式の停止部品が付いているが瞬時には停止できない物であった。
【発明の開示】
【発明が解決しようとする課題】
【０００３】  これは、つぎのような欠点があった。
従来手動式灯油ポンプには、オイルの流れを停止するために、ねじ式の停止部品しか付いていなかったため、迅速な停止ができず、給油口からオイルをあふれさせてしまいがちであった。本発明は、以上のような欠点をなくすためになされたものである。
【課題を解決するための手段】
【０００４】  手動式灯油ポンプのオイル出口付近に、手動でオイルを瞬時に止めるための部品（コック）を取り付ける。本発明は、以上の構成よりなる手動式灯油ポンプである。
【発明の効果】
【０００５】  従来のねじ式の流量停止部品と違い、瞬時にオイルの流れを止めることが出来、給油口からオイルをあふれさせることがなくなる。
【発明を実施するための最良の形態】
【０００６】  以下、本発明を実施するための最良の形態について説明する。手動式灯油ポンプのオイル出口付近にオイルの流れを瞬時に停止させるための手動の部品（コック）を取り付ける。この部品は、指２本で操作するもので、この指を閉じるとオイルの通路が閉まりオイルの流れが止まる。その指を開くと再びオイルの通路が開きオイルを流せるようになる。この流量停止部品とホースは細長い突起状の部分で接し、接着されているため、突起部とホースの接する面が小さく、弱い力でコックをつまみ、ホースを塞ぐ（押しつぶす）事が出来る。図１１の６（流量停止部品の上部）と図１１の７（流用停止部品の下部）は弾力を持った材質である。本発明は以上のような構造である。これを使用する時は、オイルを停止させる部品（コック）を片手の親指と人差し指で持ち、もう片方の手でポンプ本体を持ち、給油口の油量を見ながら給油する。給油口がいっぱいになって来たら、素早くコックをつまみ、給油を停止する。流量停止部品（コック）を図１０のように指でつまむとホースはつぶれ、オイルの流れが止まる。指を離せば、図１１の３（給油ホース）と、図１１の６（流量停止部品の上部）と、図１１の７（流用停止部品の下部）の弾力により、図９の状態に戻り、オイルが流れるようになる。
【図面の簡単な説明】
【０００７】
【図１】  ポンプ全体図
【図２】  流量停止部品（コック）取り付け部
【図３】  流量停止部品（コック）の正面図及び、背面図
【図４】  流量停止部品（コック）の左側面図及び、右側面図
【図５】  流量停止部品（コック）の平面図及び、底面図
【図６】  流量停止部品（コック）の上面図の断面図
【図７】  流量停止部品（コック）の斜視図
【図８】  流量停止部品（コック）の斜視図の断面図
【図９】  流量停止部品（コック）の給油中の斜視図
【図１０】  流量停止部品（コック）の給油停止時の斜視図
【図１１】  流量停止部品（コック）の給油中の正面図の断面図
【図１２】  流量停止部品（コック）の給油停止時の正面図の断面図
【符号の説明】
【０００８】  １  流量停止部品（コック）
２  ポンプ本体
３  給油ホース
４  従来の流量停止用ネジ
５  吸い上げホース
６  流量停止部品（コック）の上部
７  流量停止部品（コック）の下部
８  流量停止部品（コック）の内側突起部
【図１】
2020097919.tif 000003
【図２】
2020097919.tif 000004
【図３】
2020097919.tif 000005
【図４】
2020097919.tif 000006
【図５】
2020097919.tif 000007
【図６】
2020097919.tif 000008
【図７】
2020097919.tif 000009
【図８】
2020097919.tif 000010
【図９】
2020097919.tif 000011
【図１０】
2020097919.tif 000012
【図１１】
2020097919.tif 000013
【図１２】
2020097919.tif 000014
(57)【要約】【課題】難水溶性の為に植物が吸収し難い化石サンゴ、マグネシウム塩、鉄塩を植物が吸収し易い水溶性に加工する。さらに窒素、リン、カリウムの過剰供給を避ける為にこれら３種類の元素含有量を１％未満に維持する。これを葉面散布剤としても潅水剤としても使用できる活力剤として提供する。【解決手段】難水溶性の化石サンゴ、マグネシウム塩、鉄塩を可溶化する方法として、化石サンゴ、マグネシウム塩、鉄塩と有機酸とを反応させて有機酸塩とし、溶解度を向上させる。この処理方法により窒素、リン、カリウム以外の植物の必須元素を効率よく供給し、かつ容易に吸収させる事が出来る。【特許請求の範囲】
【請求項１】
水溶性に加工した化石サンゴ、可溶性マグネシウム塩、可溶性鉄塩から構成され、窒素、リン、カリウムの含有率が１％未満かつ窒素、リン、カリウム以外の植物必須元素を全種類含有する活力剤。
【請求項２】
請求項１記載の活力剤を乾燥し、粉末化させた活力剤。
【請求項３】
請求項２記載の活力剤を使用前に水に再溶解し、これを霧状にして植物体の地上部へ吹き付けて使用する葉面散布剤としての使用方法。
【請求項４】
請求項２記載の活力剤を使用前に水に再溶解し、これを潅水として土壌へ灌注する使用方法。
【発明の詳細な説明】
【技術分野】
【０００１】本発明は化石サンゴと複数種の有機酸との反応により加工されていた従来の葉面散布剤において、不足している植物の必須元素を新規に追加供給した物である。これより植物必須元素の種類および量が過不足なくバランス良く配合され、植物へ供給する事ができる技術である。
ただし、本技術によって加工生産された活力剤には植物の必須元素のうち窒素、リン、カリウムが各１％以上含有されない。これは栽培者がこの３種元素を既に施肥している事を前提としている為である。これにより本品を植物へ供給した際に３種元素の過剰供給を未然に防ぐ事ができ、かつ不必要な肥料成分の使用を抑制する事も可能となる。
【背景技術】
【０００２】植物の旺盛な栽培を促す為に土壌へ窒素、リン、カリウムの供給を行う事は既知の事実として広く知られている。しかし、この３種必須元素だけでは葉の黄化や病気の発生など植物の良質な栽培は望めない。この対策として、各種ミネラル系養分を供給して代謝効率の改善、耐病性の改善を目的とした資材が開発され、販売されている。【０００３】植物が元素を体内へ吸収する為には水溶化させる事が必要条件であるが、難水溶性資材が多数認められている。さらに、可溶化させる事ができる資材であっても、「含有成分種が単独である事から別の資材を別途供給する必要がある」「含有成分が複数種でも必須元素のうち数種類が欠落している」「複数種の必須元素が含まれているが、植物の要求量に対して含有量バランスが合っていない」「窒素、リン、カリウムが含まれている為に過剰症の危険性がある」などの難点が認められる。
【先行技術文献】
【特許文献】
【０００４】
【特許文献１】特願２０１５−２３２３５９
【非特許文献】
【０００５】
【非特許文献１】社団法人  農山漁村文化協会発行  「農業技術事典」
【発明の概要】
【発明が解決しようとする課題】
【０００６】特許文献１に記載の葉面散布剤は化石サンゴに含有される成分の性質上、窒素、リン、カリウムの各含有量が１％未満であり、かつ植物の必須元素を全て網羅している。しかし、植物の要求量に対しマグネシウムと鉄の含有量が不足している事が示唆されている。【０００７】マグネシウムおよび鉄の不足は植物の光合成と深くかかわりが認められている為、特許文献１の葉面散布剤のみでは資材として不十分である事が認められる。【０００８】本発明である資材追加が特許文献１の栽培効果を損失してはならない。【０００９】本発明は上記課題０００６から０００８に対して改良を加えるべく施されたものであり、さらに特許文献１に記載された葉面散布剤以上の効果が得られなければならない。【００１０】葉面散布による地上部への供給のみではなく、土壌への潅水による根からの吸収によっても効果を発揮されなければならない。
【課題を解決する為の手段】
【００１１】有機酸物質を用いて難水溶性である化石サンゴおよびマグネシウム塩、鉄塩を水中環境下で反応させる。
【００１２】上記００１１を適宜混合、均一化する。
【００１３】００１２の水分を除去し、粉末化する。
【００１４】葉面散布あるいは潅水する際は水を用いて００１３の粉末を再溶解する。
【００１５】再溶解した溶液は散布機器用容器もしくは散水機器用容器へ充填し、植物へ供給する。
【発明の効果】
【００１６】本発明品を用いた葉面散布処理あるいは潅水処理により、特許文献１よりも同時に多量の補因子が供給され、代謝効率が改善される。目視確認で識別しやすい点として植物の黄化現象の抑制、葉の緑色強化、根の張り具合の旺盛化が認められる。これにより、単位時間当たりの光合成効率がより改善され、強固な根の張りによって植物体の保持と施肥されている養分の吸収効率上昇が可能になる。その結果、食味をはじめ高品質作物の収穫率が上昇する。
【発明を実施する為の形態】
【００１７】化石サンゴ、マグネシウム塩、鉄塩、有機酸等の原料を計量する。
【００１８】計量した原料を、反応容器へ投入し、さらに水を注入する。
【００１９】反応容器に投入した原料と水を適宜攪拌混合し、数日間反応させる。
【００２０】固液分離処理する。
【００２１】分離された固体を取り出して乾燥、粉末化する。
(57)【要約】      （修正有）【課題】２ヵ月表示の壁掛カレンダーで１月から２月になった時に次頁をめくらなくても３月の暦が見れる能率壁掛カレンダーを提供する。【解決手段】２ヵ月表示の壁掛カレンダーで、１ヵ月が過ぎて２月になった時に、左下部の１月の暦部分を取り外すためのミシン目を設けた。【選択図】図１
2020037243.tif 000002
【特許請求の範囲】
【請求項１】
2020037243.tif 000005
けた能率壁掛カレンダー。
【発明の詳細な説明】
【技術分野】
【０００１】この発明は、２ヵ月表示の壁掛カレンダーにミシン目を入れた能率壁掛カレンダーに関するものである。
【背景技術】
【０００２】従来、壁掛カレンダーにはミシン目を入れたものはなかった。
【先行技術文献】
【特許文献】
【０００３】
【特許文献１】
【発明の概要】
【発明が解決しようとする課題】
【０００４】これは次のような欠点があった。
従来、２ヵ月表示の壁掛カレンダーで１ヵ月が過ぎて２月になった時に３月の暦を見たい時には壁掛カレンダーの次頁をいちいちめくって見なければならなかった。
本発明は、以上のような欠点をなくすためになされたものである。
【課題を解決するための手段】
【０００５】
2020037243.tif 000003
ン目（２）を設ける。
本発明は、以上の構成よりなる能率壁掛カレンダーである。
【発明の効果】
【０００６】（イ）２ヵ月表示の壁掛カレンダーで１ヵ月が過ぎて２月になった時に左下部の１月の暦      部分のミシン目を伝って取り外せば簡単に３月の暦部分を見ることが出来る。
（ロ）次頁をいちいちめくっていた手間が省ける。
【図面の簡単な説明】
【０００７】
【図１】本発明の正面図である。
【図２】本発明の分解図である。
【発明を実施するための形態】
【０００８】以下、本発明を実施するための形態について説明する。
2020037243.tif 000004
ン目（２）を入れる。
本発明は、以上のような構造である。
これを使用するときは、左下部の１月の暦部分のミシン目を伝って取り外せば簡単に３月の暦部分を見ることが出来る。
【符号の説明】
【０００９】１  ２ヵ月表示の壁掛カレンダー
２  ミシン目
【図１】
2020037243.tif 000006
【図２】
2020037243.tif 000007
(57)【要約】【課題】電源のない暗闇で灯確保には一般的に懐中電灯が用いられていた、灯確保の範囲は一定の方向と限られた範囲の灯確保である、本発明は複数の懐中電灯が、広範囲に灯を確保するために、回転と角度調整可能な懐中電灯取付座と骨組み、ブラケット式取付台を提供する。【解決手段】懐中電灯取付座（１）（２）の溝部に滑り止め（６）ゴムバンド（４）を設けバンド（３）と懐中電灯取付座（１）（２）を連携させ骨組みに設けた懐中電灯取付座に懐中電灯を複数設けた形式を特徴とする懐中電灯取付座。柱や壁に引掛け部品（９）や吸着性のある物質を設け、ブラケット式懐中電灯取付台を設け、懐中電灯取付座（２）を設け、懐中電灯複数を設けた形式を特徴とする、ブラケット式懐中電灯取付台。【選択図】図１
2020072071.tif 000002
【特許請求の範囲】
【請求項１】
懐中電灯を固定し○筒や□筒の骨組みと連携し、回転と角度調整が可能な懐中電灯取付座と骨組み。
【請求項２】
柱や壁等に、引掛け部品や、吸着性のある物質を用い、懐中電灯取付座が設けられる、ブラケット式懐中電灯取付台。
【発明の詳細な説明】
【技術分野】
【０００１】本発明は、電源のない暗闇で懐中電灯を複数設け広範囲の灯確保に関するものである。
【背景の技術】
【０００２】従来電源のない暗闇では懐中電灯や、頭部に装備するヘッドライトやランプ等で灯確保がなされていたていた。
【発明の概要】
【発明が解決しようとする課題】
【０００３】電源のない暗闇で灯確保には、持ち歩く懐中電灯が用いられているが、、従来の懐中電灯の活用では一定の方向の灯しか確保できず、限られた範囲の灯確保である、複数の懐中電灯で広範囲の灯確保には、従来の懐中電灯の用い方では困難であった。
本発明は以上の問題点を解決するためになされたものである。
【課題を解決するための手段】
【０００４】１）懐中電灯を設ける座「−３−」（１）（２）の片側を板状にし、反対側を懐中電灯が転ばないような溝を設け、溝の中心部に、ゴムバンド（４）を取り付ける穴を設け、（７）のビスネジで（４）ゴムバンドを固定する、溝のやや先端の両側に（６）滑り止めを設け、ゴムバンド（４）を設けた（１）（２）と○筒に用いるバンド（３）を（５）ちょうねじで連携させ、「−１−」［図２］の○筒の骨組みに「−２−」［図４］［図５］に示す形式で、回転可能で、角度調整が可能な懐中電灯取付座（１）（２）を複数設け、懐中電灯を設ける。
２）「−１−」の［図３］に示す（９）の引掛け部品と、（１０）の吸着性のある物質等
2020072071.tif 000003
の垂直式懐中電灯取付座（２）を設け懐中電灯を設ける
本発明は、以上の構成からなる、懐中電灯取付座と骨組み。、
懐中電灯取付座を設けるブラケット式取付台である。
【発明の効果】
【０００５】従来電源のない暗闇で懐中電灯での限られた灯確保が、本発明で懐中電灯を用いて広範囲囲に灯確保が可能になった。
災害時の避難所の停電時、家庭での停電時、キャンプ場での夜、トイレやフロ場等〃に数多く活用できるものである。
【図面の簡単な説明】
【０００６】
【図１】本発明の懐中電灯取付座に懐中電灯を設けた側面図である。
【図２】本発明の懐中電灯取付座を、骨組みに設けた正面図である。
【図３】本発明の垂直式懐中電灯取付座（Ｉ）を、ブラケット式取付台（８）に設け、柱等に設けた側面図、ブラケット式取付台の斜線図、引掛け部品、吸着性のある物質の斜線図である。
【図４】本発明の水平式懐中電灯取付座「Ｔ」の斜線図である。
【図５】本発明の垂直式懐中電灯取付座「Ｉ」の斜線図である。
【図６】本発明の懐中電灯取付座の部品図である。
【発明を実施するための形態】
【０００７】以下本発明の実施の携帯を説明する。
（イ）○筒や□筒や◇筒の形の資材（１）（２）の片側を、板状に、その反対側に溝を設け、溝部の中央にゴムバンド（４）をビスネジ（７）で固定し溝部の両側に、おおまかな先端箇所に滑り止め（６）を設け、溝部と反対側に設けた、板状に角度調整に支障がない円形を設け、○筒に使用するバンド（３）と連携する穴を設け、ちょうねじ（５）で（１）と（３）、（２）と（３）を連携する。
（ロ）懐中電灯水平式取付座（Ｔ）と、懐中電灯垂直式取付座（Ｉ）を［図２］に示す骨組みの形式で複数設け、懐中電灯を複数設けるものである。
2020072071.tif 000004
を、引掛け式（９）や吸着性のある（１０）の物質を柱や壁等に設け懐中電灯取付座を設けるブラケット式取付台（８）を設け、垂直式懐中電灯取付座「Ｉ」を複数設けて懐中電灯を複数設けるものである。
本発明は以上のような複数の懐中電灯を設ける構造である。本発明を用いる場合は、骨組み等は上下の伸縮が可能で、懐中電灯の数により広範囲の灯が確保でき、スタンド式に設ければ、卓上での活用も可能である。ブラケット式取付台（８）の引っ掛け部品（９）や吸着性の物質（１０）はあらかじめ取り付けて置くと懐中電灯設け時に有効に活用できるものである。
【符号の説明】
【０００８】１  水平式懐中電灯取付座（Ｔ）、  ２  垂直式懐中電灯取付座（Ｉ）、  ３  骨組みに設けるバンド、  ４  懐中電灯取付ゴムバンド、  ５  １と３、２と３を連携するちょうねじ、  ６  懐中電灯の滑り止め、  ７  ゴムバンド取付ビスネジ、  ８、ブラケット式取付台、  ９、引掛け部品、  １０  吸着物質、  １１、柱、  １２  キャップ
【図１】
2020072071.tif 000005
【図２】
2020072071.tif 000006
【図３】
2020072071.tif 000007
【図４】
2020072071.tif 000008
【図５】
2020072071.tif 000009
【図６】
2020072071.tif 000010
(57)【要約】【課題】簡単な構造でありながら容易に全天周画像を撮像することができる撮影装置の提供を目的とする。【解決手段】内面に被写体を描画又は貼付保持するための、内側形状が略球形状又は多面体形状の基材と、前記基材の内部に配置したカメラとを備え、前記基材は透光性を有することで内部光源を不要としたことを特徴とする。【選択図】  図１
2020187227.tif 000002
【特許請求の範囲】
【請求項１】
内面に被写体を描画又は貼付保持するための、内側形状が略球形状又は多面体形状の基材と、前記基材の内部に配置したカメラとを備え、
前記基材は透光性を有することで内部光源を不要としたことを特徴とする全天周画像用撮影装置。
【請求項２】
前記基材の内部にカメラを配置する支持部材を有することを特徴とする請求項１記載の全天周画像用撮影装置。
【請求項３】
前記基材の内部の光量を確保するための、基材の外部側に外部光源を有することを特徴とする請求項１又は２記載の全天周画像用撮影装置。
【発明の詳細な説明】
【技術分野】
【０００１】
本発明は、全天周又は全方位画像を撮像するための撮影装置に関する。
【背景技術】
【０００２】
全天周画像は、水平３６０°の広い視野を有する画像をいい、全天空画像とも表現されている。
また、プラネタリウムのように概ね半球程度の視野を有する画像を全天周（全天空）画像と表現し、全方位、即ち全球の視野を有する画像を全方位画像と区別した表現もあるが、本明細書ではこれらを全て含めて、全天周画像と表現する。
【０００３】
全天周画像は、その場所を立体的に表現する手法として、あるいはパノラマ画像等としていろいろな分野にて活用されている。
しかし、全天周映像となる作品をカンバスに描いたとしても、このようなカメラ全体を覆うような被写体を撮影するには光量不足となり、鮮明な画像を得るのが難しかった。
【０００４】
例えば、特許文献１には透光性ドームを有する天空画像撮影装置を開示するが、この公報の発明は透光性ドーム内の空気循環と冷却が目的であって、いろいろな全天周画像を得るのが目的ではない。
【先行技術文献】
【特許文献】
【０００５】
【特許文献１】特開２０１４−１７５７８７号公報
【発明の概要】
【発明が解決しようとする課題】
【０００６】
本発明は、簡単な構造でありながら容易に全天周画像を撮像することができる撮影装置の提供を目的とする。
【課題を解決するための手段】
【０００７】
本発明に係る全天周画像用撮影装置は、内面に被写体を描画又は貼付保持するための、内側形状が略球形状又は多面体形状の基材と、前記基材の内部に配置したカメラとを備え、前記基材は透光性を有することで内部光源を不要としたことを特徴とする。
ここで、透光性を有する基材とは、材料そのものが透光性を有する場合のみならず、網目構造やスリット等、光が通過する部分を有するものも含む。
【０００８】
このように本発明は、被写体でカメラを覆った状態にあっても、この被写体を描画又は貼付保持した基材に透光性を有するものを採用したことにより、外部から基材の内部に光が透過し、撮影に必要な光量を得ることができる。
本発明にて、基材の内面に被写体を描画又は貼付保持すると表現したのは、透光性を有する基材の内面に撮影するための絵や図柄等を直接描いたり印刷したりしてもよく、予めイラスト等を描いたシールや印刷物等を貼り付けてもよい趣旨である。
基材には、各種プラスチック基材や、発泡スチロール基材のように透光性を有する材料を用いたり、金網状等、構造上透光性を有するものを用いることができる。
【０００９】
本発明において、透光性を有する基材の形状を内側形状が略球形状又は多面体形状と表現したのは、内面に被写体を描画又は貼付保持させることで全天周画像用の被写体が得られれば、その形状は球形状に制限されない趣旨である。
よって、単一の部材でもよく、複数に分割又は開閉可能になっていてもよい。
【００１０】
本発明において、基材の内部にカメラを配置する支持部材を有する。
例えば、基材の内側に直接的にカメラを固定するための支持部材をこの基材に直接的に設けてもよく、内側のカメラを外部から支持する支持部材であってもよい。
【００１１】
本発明に用いられるカメラは、円周魚眼レンズ等を用いた広角カメラで撮影方位が変えながら全天周被写体を撮影してもよく、また複数のカメラを用いたり、多くの撮影データを合成して、全天周画像にしてもよい。
【００１２】
本発明において、基材の全部が透光性を有する必要もなく、内面に描かれたイラスト等自体は必ずしも透光性を有する必要がない。
外部から自然光等が内部に透過して、撮影に必要な光量が得られればよい。
また、基材の内部の光量を確保するための、基材の外部側に外部光源を有するようにしてもよい。
【発明の効果】
【００１３】
本発明に係る撮影装置にあっては、カメラを覆う基材が透光性を有するので、基材の内部に光源を設ける必要がなくなり、全天周型の撮像データを得るのが容易になる。
【図面の簡単な説明】
【００１４】
【図１】球形状の透光性基材を２つに分割した本発明に係る撮影装置の例を示す。（ａ）は分割した状態、（ｂ）は球にした状態を示す。
【発明を実施するための形態】
【００１５】
本発明に係る被写体を撮影し、全天周画像を得るのに適した撮影装置の構造例を以下図に基づいて説明する。
【００１６】
図１は、略球形状又は多面体形状の基材の例として、半球状の第１透過性基材１１と、同じく半球状の透過性基材１２とに分割した例を示すが、分割数や分割方法に制限はなく、また一部で開閉自在に連結してあってもよい。
本実施例は、発泡スチロール製の基材を用いた。
この基材の内周面にイラスト等を直接描画したり印刷してもよいが、予め作成された印刷物を貼り付けてもよい。
【００１７】
カメラ１３は、球状の基材の内部に配置できれば、第１透光性基材１１又は第２透光性基材１２のうち、一方又は両方の内側に直接、支持部材を設けて配置してもよい。
本実施例は、カメラの操作が外部からし易いように、棒状の支持部材１４を外部から内側に向けて配置し、その先端部にカメラ１３を固定した例になっている。
なお、カメラ１３は１つでも複数でもよい。
図１（ｂ）は、全天周画像を撮影するために、第１透光性基材１１と第２透光性基材１２とを球状に突き合せ、カメラ１３で内周面を全方位に撮像している状態を示す。
外部から矢印で示すように、光が内部に透過し、撮影が可能となる。
周囲の自然光で光量が不充分である場合には、外部光源１５にて光量を補充してもよい。
【符号の説明】
【００１８】
１１      第１透光性基材
１２      第２透光性基材
１３      カメラ
１４      支持部材
１５      外部光源
【図１】
2020187227.tif 000003
(57)【要約】【課題】学校教育における授業の構成は教員による属人的な要素が強く、権限の集中から教員による問題が数多く発生している。特に授業の「関心・意欲・態度」や「思考・判断・表現」の授業評価は教員によって変動する要素が強く、人間が行うからこそ生徒児童・保護者に生じる不公平感が強い。従来の教育では教員が授業進行と並行して生徒児童一人ひとりの学習活動を把握し評価付けすることが義務付けられているが一人の教員にこれらすべての処理を同時に行うことは人的資源から考えて不可能である。【解決手段】教員の仕事は事実上マニュアル化されているため、学校教員が果たす生徒児童の評価付けを人工知能によるＡＩ先生が代替する。学校教室に集音器を導入する。予め児童生徒と教員の声紋認証登録を行い、音声認識によって発言の議事録を作成する。音声解析の際に発言の回数と、声から推察できる感情を記録し、自然言語処理によって授業参加と議論への貢献を数値化する。数値化された生徒の授業データと教員の感覚による成績評価をビッグデータとして蓄積し人工知能の判断過程で必要な訓練データとして用いる。人工知能の類推処理精度を高めて教員が行う専門的な判断により近づけ、教員個人に依存した属人的な評価方法を標準化された平等な評価方法へと変える。生徒児童の評価付けを自動化することにより、学校教員の人的資源を節約する。【選択図】なし【特許請求の範囲】
【請求項１】
人工知能による音声認識・自然言語理解・類推処理を用いた、学校教育における生徒児童教員の評価方法標準化と成績評価自動化を行う装置。
【発明の詳細な説明】
【技術分野】
【０００１】    電気・電子
【背景技術】
【０００２】人工知能の発達により可能となった音声解析（議事録作成・声紋認証・感情把握）、自然言語処理（言語理解）、専門的な判断（訓練データからの類推処理）を用いて学校教員が果たす役割を人工知能による評価処理装置が代替する。
【発明の概要】
【発明が解決しようとする課題】
【０００３】学校教育では教員１人に対して生徒児童数が最大４０人である。一人の教員が大勢の生徒児童を処理する都合から授業に幅を持てず学習活動が固定化している。生徒児童にとって望ましい教育を実現するためには教員数の確保が必要だが、国と自治体が用意できる予算から人的資源は限られる。そのため変化する時代に適合した教育改革の実現は難航している。
従来の教育では教員が授業進行と並行して生徒児童一人ひとりの学習活動を把握し評価することが義務付けられている。しかし私自身の教員経験を踏まえるに教員一人が授業進行をしながら生徒一人ひとりの学習活動を把握して個別に学習活動の評価付けを行うことは人的資源から考えて不可能であると結論付けた。
授業時数の都合もあり現在の授業構成では生徒児童が意思表示を行う機会が極めて少なく、教員は生徒児童一人ひとりの学習活動を把握できていない。そのため生徒児童・保護者からのクレーム対策に明確な数字として現れるペーパーテストの成績から類推して評価の観点である「関心・意欲・態度」や「思考・判断・表現」の評価を下している。しかし本来ペーパーテストは授業科目における「関心・意欲・態度」や「思考・判断・表現」の評価を決定する材料ではない。
全教科を通じて行われる評価の観点はペーパーテストによる「知識・理解」以外は教員によって評価が大幅に変動する属人的な要素が強く、生徒児童・保護者から見て評価は人間が行うからこそ不公平感が生じやすく納得できない場合が多い。しかし成績評価の権限は教員に一任されているために異議を唱えることが難しく、権限の集中から教員自体が問題となるケースも数多く見受けられる。さらには特別の教科として成績評価の対象となった道徳の教科における「道徳心」や「愛国心」の評価付けを行うことはいかなる教員であっても困難を極めている。
評価を決定するには評価の材料が必要であり、現在の授業構成では生徒児童が発言する機会が少なく生徒児童の意思表示を得ることも困難である。また、生徒児童の成績評価のみならず教員の能力を評価する材料が保護者によるクレームの数しか存在しないことも学校教育を歪める大きな問題である。
そのため教育改革を実現するためには従来教育で生じている問題を解決するためのツールが必要であると考える。本案は教員の負担を軽減し、人件費に比較して低価格で質の良い学校教育を社会に普及するための発明である。
【課題を解決するための手段】
【０００４】課題を解決する手段は、評価者である教員個人に依存した属人的な評価方法から人工知能により標準化された客観的な評価方法に変えることである。
学校教室に集音器を導入する。予め生徒児童と教員の声紋認証を行い、音声認識によって授業中の発言議事録を作成する。
音声解析の際に発言の回数と声から推察できる感情を記録し、自然言語処理によって授業参加と議論への貢献を数値化する。
数値化された生徒児童の授業データと教員の感覚による成績評価をビッグデータ化して、人工知能の訓練データとして用いる。
人工知能の類推処理が行う精度を教員が行う専門的な判断により近づけ、評価方法を属人的なものから標準化へと変える。
保護者が教員にクレームを入れる原因は不透明な成績評価基準と学校に預けた子供の生活実態を年３回の成績通知時の数行でしか知り得ない不安からである。音声認識によって発言議事録を作成する際に異常な言動を自動検知することによって教員による問題発言と生徒児童の生活実態を自動報告する。ＡＩ先生の導入によって社会から閉ざした学校実態を改革し生徒児童の人権を保障する。
現在の授業構成からは生徒の発言回数が限られていることから成績判断を行うためのデータを得ることは困難である。そのため生徒児童が授業中に簡易な回答と教員の支配が及ばない休み時間中に投票を行うためのボタン式の入力機能、そして集音器と同じ音声認識技術を用いて個別に発言者の音声を入力する機能を備えた小型のリモコン装置を配布する。
【発明を実施するための形態】
【０００５】学校教室に集音器を導入し、個人を判別できるように声紋認証データを用意する。音声認識によって生徒と教員の発言を記録する。
自然言語処理により授業中の発言内容を把握。発言回数と感情と発言内容から授業への参加と議論への貢献度を測定する。測定されたデータを参考値として教員が成績評価を下す。ＡＩ先生を導入した各学校各自治体によって蓄積されたビッグデータを訓練データとして用いることで専門的な判断精度をより実物の教員に近づける。将来的にはＡＩ先生が自動で評価を判断実行する。